(57)【要約】【課題】速やかに患者情報を表示し、必要な情報を容易に得ることができ、使い勝手が良い電子カルテ病状対応表示システムを提供する。【解決手段】あらかじめ患者情報を記憶しておく。また、あらかじめ画面表示パターン情報を診断名ごとに記憶しておく。患者の氏名をモニタ１８に表示する。モニタ１８に表示された患者の氏名の中から、診察する患者の氏名を選択する（ステップ４０）。選択された患者の氏名に対応する患者情報を検索する。検索された患者情報の診断名を取得する（ステップ４１）。その診断名に対応する画面パターンコードを取得する（ステップ４３）。取得した画面パターンコードに対応する画面表示パターン情報を検索する（ステップ４４）。検索した画面表示パターン情報に基づいて、患者情報を編集する（ステップ４５）。患者情報をモニタ１８に表示する（ステップ４６）。【選択図】図３
2005078365.tif 000002
【特許請求の範囲】
【請求項１】
患者の氏名および診断名を含む患者情報を記憶する診療録記憶手段と、
画面表示パターン情報を前記診断名ごとに記憶するパターン記憶手段と、
前記診療録記憶手段に記憶した患者情報の患者の氏名を表示する患者名表示制御手段と、
前記患者名表示制御手段で表示した患者の氏名の中から診察する患者の氏名を選択する診察患者選択手段と、
前記診療録記憶手段に記憶した患者情報の中から、前記診察患者選択手段で選択した患者の氏名に対応する患者情報を検索する患者情報検索手段と、
前記パターン記憶手段に記憶した画面表示パターン情報から、前記患者情報検索手段で検索した患者情報の診断名に対応する画面表示パターン情報を検索するパターン検索手段と、
前記患者情報検索手段で検索した患者情報を、前記パターン検索手段で検索した画面表示パターン情報に基づいて表示する患者情報表示制御手段とを、
有することを特徴とする電子カルテ病状対応表示システム。
【発明の詳細な説明】
【技術分野】
【０００１】
本発明は、電子カルテ病状対応表示システムに関する。
【背景技術】
【０００２】
従来の一般的な電子カルテシステムは、診療記録などの患者情報を電子化して記録しておき、必要に応じて表示画面に表示するものである。一般的な電子カルテシステムでは、患者情報を画面に表示するための表示パターンを選択して、診察する患者の患者情報を表示画面に表示させる。この場合、あらかじめ設定した表示パターンで表示させることもできるが、病状などによっては患者情報を表示画面に表示しきれないことがある。そのようなときには、キーボードやマウスを操作して表示画面を切り換え、必要な情報を表示させるようになっている。
【発明の開示】
【発明が解決しようとする課題】
【０００３】
電子カルテシステムは、医師が患者を診察するときに使用するものであり、迅速に診察を行うために、患者情報を速やかに表示できることが望ましい。また、表示画面に表示された患者情報を医師が参照しながら診察するため、必要な情報を容易に得ることができるようになっていることが望ましい。
【０００４】
しかしながら、従来の電子カルテシステムでは、診察する患者の患者情報を表示させるには、その患者情報を画面に表示するための表示パターンを選択する必要があり、手間がかかるという課題があった。また、あらかじめ設定した表示パターンで表示させる場合にも、病状によって必要な情報が異なるため、患者情報の中から必要な情報を探し出すのに手間がかかり、使い勝手が悪いという課題があった。
【０００５】
本発明は、このような従来の課題に着目してなされたもので、速やかに患者情報を表示し、必要な情報を容易に得ることができ、使い勝手が良い電子カルテ病状対応表示システムを提供することを目的としている。
【課題を解決するための手段】
【０００６】
上記目的を達成するために、本発明に係る電子カルテ病状対応表示システムは、患者の氏名および診断名を含む患者情報を記憶する診療録記憶手段と、画面表示パターン情報を前記診断名ごとに記憶するパターン記憶手段と、前記診療録記憶手段に記憶した患者情報の患者の氏名を表示する患者名表示制御手段と、前記患者名表示制御手段で表示した患者の氏名の中から診察する患者の氏名を選択する診察患者選択手段と、前記診療録記憶手段に記憶した患者情報の中から、前記診察患者選択手段で選択した患者の氏名に対応する患者情報を検索する患者情報検索手段と、前記パターン記憶手段に記憶した画面表示パターン情報から、前記患者情報検索手段で検索した患者情報の診断名に対応する画面表示パターン情報を検索するパターン検索手段と、前記患者情報検索手段で検索した患者情報を、前記パターン検索手段で検索した画面表示パターン情報に基づいて表示する患者情報表示制御手段とを、有することを特徴とする。
【０００７】
本発明に係る電子カルテ病状対応表示システムでは、患者情報は、患者の氏名および診断名の他に、患者のＩＤ番号、生年月日、性別、職業、保険証情報、医師の所見、処方、レントゲンなどの画像、血液検査などの各種検査結果などを含むことが好ましい。また、画面表示パターン情報は、患者情報のうち画面に表示する表示情報の種類、表示情報の画面上での表示位置、大きさ、文字サイズ、表示色などから成ることが好ましい。表示情報は、患者情報のうち診察に必要な情報から成ることが好ましく、例えば、患者の氏名、診断名、医師の所見、処方、レントゲン画像、血液検査結果などから成ることが好ましい。
【０００８】
本発明に係る電子カルテ病状対応表示システムは、表示された患者の氏名の中から診察患者の氏名を選択すると、その患者の患者情報を表示することができる。このため、従来の表示パターンを選択してから表示させるものに比べて、速やかに患者情報を表示することができる。
【０００９】
また、本発明に係る電子カルテ病状対応表示システムは、診断名に対応する画面表示パターン情報に基づいて患者情報を表示するため、診断名ごとに診察に必要な情報のみを表示することができる。このため、本発明に係る電子カルテ病状対応表示システムでは、必要な情報を容易に得ることができ、使い勝手が良い。
【００１０】
本発明に係る電子カルテ病状対応表示システムでは、患者名表示制御手段は、患者を識別するために、患者の氏名の他に患者の性別、生年月日、診断名、前回の診察日などを併せて表示してもよい。この場合、同姓同名の患者でも容易に識別することができる。また、患者の氏名をアイウエオ順、診察日時順、診察回数順、ＩＤ番号順、診断名別、担当医別、診察時期別、これらを組み合わせたものなど、さまざまな表示形式で表示できるようになっていてもよい。この場合、患者数が増えても、効率的に患者の氏名を見つけだすことができる。
【００１１】
本発明に係る電子カルテ病状対応表示システムは、画面表示パターン情報を変更可能であってもよい。この場合、患者情報を利用する医師が、必要な情報を選別して表示させ、効率的に診察を行うことができる。
【発明の効果】
【００１２】
本発明によれば、速やかに患者情報を表示し、必要な情報を容易に得ることができ、使い勝手が良い電子カルテ病状対応表示システムを提供することができる。
【発明を実施するための最良の形態】
【００１３】
以下、図面に基づき、本発明の実施の形態について説明する。
図１乃至図３は、本発明の実施の形態の電子カルテ病状対応表示システムを示している。
なお、本発明の実施の形態の電子カルテ病状対応表示システムは、パソコンなどのコンピュータに実行させることができる。コンピュータは、ＣＰＵにより構成される制御手段、プログラムを記憶したハードディスクメモリ、各種ファイルを記憶したメモリ、キーボードやマウスなどの入力手段、モニタなどの表示手段、プリンタなどの出力手段および通信手段を有している。
【００１４】
図１に示すように、この電子カルテ病状対応表示システムを実行するコンピュータは、主制御部１０と入力手段１１と表示手段１２と記憶手段１３と処理手段１４と表示制御手段１５とを機能として有している。
【００１５】
主制御部１０は、ＣＰＵ等から構成され、各部の制御や、データの転送、種々の演算等を行う。
入力手段１１は、キーボード１６およびマウス１７から成り、文字や主制御部１０に対する指示などを入力するよう構成されている。
表示手段１２は、モニタ１８から成り、文字や画像などを表示するよう構成されている。
【００１６】
記憶手段１３は、メモリから成り、診療録記憶手段１９とパターン記憶手段２０とを有している。診療録記憶手段１９は、患者の氏名、診断名、ＩＤ番号、生年月日、性別、職業、保険証情報、医師の所見、処方、レントゲンなどの画像、血液検査などの各種検査結果を含む患者情報を記憶している。パターン記憶手段２０は、画面表示パターン情報を診断名ごとに記憶している。画面表示パターン情報は変更可能であり、診断名ごとに異なっていても、同じであってもよい。
【００１７】
画面表示パターン情報は、例えば図２に示すような画面表示３０を行うために、患者情報のうち画面に表示する表示情報の種類、表示情報の画面上での表示位置、大きさ、文字サイズ、表示色を含んでいる。図２に示す一例では、表示情報として、患者属性情報サブ画面３１に患者のＩＤ番号、氏名、生年月日、職業、保険などの情報を表示し、所見入力サブ画面３２に医師の所見を表示し、処方履歴サブ画面３３に処方内容を時系列で表示し、画像診断所見一覧サブ画面３４にレントゲンなどの画像を表示し、検査結果一覧サブ画面３５に血液検査などの各種検査結果を時系列で表示するよう構成されている。
【００１８】
処理手段１４は、診察患者選択手段２１と患者情報検索手段２２とパターン検索手段２３とを有している。診察患者選択手段２１は、モニタ１８に表示した患者の氏名の中から、診察する患者の氏名をキーボード１６またはマウス１７により選択するよう構成されている。患者情報検索手段２２は、選択した患者の氏名に対応する患者情報を、診療録記憶手段１９に記憶した患者情報の中から検索するよう構成されている。パターン検索手段２３は、検索した患者情報の診断名に対応する画面表示パターン情報を、パターン記憶手段２０に記憶した画面表示パターン情報の中から検索するよう構成されている。
【００１９】
表示制御手段１５は、患者名表示制御手段２４と患者情報表示制御手段２５とを有している。患者名表示制御手段２４は、診療録記憶手段１９に記憶した全ての患者情報の患者の氏名をモニタ１８に表示するよう構成されている。なお、患者名表示制御手段２４は、患者の氏名の他に、ＩＤ番号、生年月日および診断名を併せて表示するよう構成されている。患者情報表示制御手段２５は、患者情報検索手段２２で検索した患者情報を、パターン検索手段２３で検索した画面表示パターン情報に基づいてモニタ１８に表示するよう構成されている。
【００２０】
次に、図３を参照して電子カルテ病状対応表示システムの処理手順について説明する。
まず、あらかじめ診療録記憶手段１９に患者情報を記憶し、パターン記憶手段２０に画面表示パターン情報を診断名ごとに記憶しておく。また、診療科ごとに画面表示のための標準パターンを記憶しておく。
【００２１】
診療録記憶手段１９に記憶した全ての患者情報の患者の氏名、ＩＤ番号、生年月日および診断名を、患者名表示制御手段２４によりモニタ１８に表示する。このとき、患者の氏名をアイウエオ順、診察日時順、診察回数順、ＩＤ番号順、診断名別、担当医別または診察時期別に、表示形式を選択して表示できるようになっている。このため、同姓同名の患者でも容易に識別することができる。また、患者数が増えても、効率的に患者の氏名を見つけだすことができる。
【００２２】
モニタ１８に表示された患者の氏名の中から、診察患者選択手段２１により診察する患者の氏名を選択し、マウス１７でクリックする（ステップ４０）。選択された患者の氏名に対応する患者情報を、診療録記憶手段１９に記憶した患者情報の中から、患者情報検索手段２２により検索する。このとき、検索には患者のＩＤ番号を用いる。検索された患者情報の診断名を取得する（ステップ４１）。
【００２３】
診断名が存在する場合（ステップ４２）、その診断名に対応する画面パターンコードを取得する（ステップ４３）。取得した画面パターンコードに対応する画面表示パターン情報（画面パターンマスタ）を、パターン記憶手段２０に記憶した画面表示パターン情報の中から、パターン検索手段２３により検索する（ステップ４４）。検索した画面表示パターン情報に基づいて、患者情報を編集する（ステップ４５）。患者情報表示制御手段２５により、例えば図２に示すような画面表示で、患者情報をモニタ１８に表示する（ステップ４６）。
【００２４】
このように、この電子カルテ病状対応表示システムは、診断名に対応する画面表示パターン情報に基づいて患者情報を表示するため、診断名ごとに診察に必要な情報のみを表示することができる。このため、この電子カルテ病状対応表示システムでは、必要な情報を容易に得ることができ、使い勝手が良い。
【００２５】
なお、検索された患者情報に診断名が存在しない場合（ステップ４７）、その患者が以前に診察した診療科の標準パターンに基づいて患者情報を編集し（すステップ４８）、モニタ１８に表示する（ステップ４６）。
【００２６】
この電子カルテ病状対応表示システムは、表示された患者の氏名の中から診察患者の氏名を選択すると、その患者が再来患者の場合、その患者の患者情報を、患者の病状、病名に応じた画面構成を自動的に選択して表示することができる。このため、担当医がカルテ情報を探して表示パターンを選択してから表示させる従来の技術に比べて、速やかに最適な患者情報を表示することができる。これにより、担当医は最適な患者情報を一読して把握し、診療の効率化を図ることができる。
【００２７】
また、この電子カルテ病状対応表示システムは、画面表示パターン情報を編集して変更することができる。このため、患者情報を利用する医師が、必要な情報を選別して表示させ、効率的に診察を行うことができる。
【図面の簡単な説明】
【００２８】
【図１】本発明の実施の形態の電子カルテ病状対応表示システムの構成を示すブロック図である。
【図２】図１に示す電子カルテ病状対応表示システムの画面表示の一例を示す説明図である。
【図３】図１に示す電子カルテ病状対応表示システムの処理手順を示すフローチャートである。
【符号の説明】
【００２９】
１０  主制御部
１１  入力手段
１２  表示手段
１３  記憶手段
１４  処理手段
１５  表示制御手段
１６  キーボード
１７  マウス
１８  モニタ
１９  診療録記憶手段
２０  パターン記憶手段
２１  診察患者選択手段
２２  患者情報検索手段
２３  パターン検索手段
２４  患者名表示制御手段
２５  患者情報表示制御手段
【図１】
2005078365.tif 000003
【図２】
2005078365.tif 000004
【図３】
2005078365.tif 000005